【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスによるワイヤレス通信の方法であって、
前記ＦＤＤの第２のコンポーネントキャリアのリソースを割り振るリソース許可をダウンリンク（ＤＬ）サブフレームにおいて受信することと、
前記ＴＤＤの第１のコンポーネントキャリアのアップリンクダウンリンク構成に基づいて、前記ＴＤＤの第１のコンポーネントキャリアのサブフレームと前記ＦＤＤの第２のコンポーネントキャリアのサブフレームとの間の関連付けを判断することと、
前記関連付けと前記リソース許可が受信された前記ＤＬサブフレームとに基づいて、前記リソース許可に関連付けられた制御情報を送信または受信するための、前記ＴＤＤの第１のコンポーネントキャリアのサブフレームを識別することと
を備える、方法。
【請求項２】
前記ＴＤＤの第１のコンポーネントキャリアは１次コンポーネントキャリアであり、前記ＦＤＤの第２のコンポーネントキャリアは２次コンポーネントキャリアである、請求項１に記載の方法。
【請求項３】
前記リソース許可がＤＬ割当てを備え、前記関連付けが、前記ＴＤＤの第１のコンポーネントキャリアのアップリンク（ＵＬ）サブフレームに関連付けられた前記ＦＤＤの第２のコンポーネントキャリアのＤＬサブフレームをスケジュールすることを可能にする、請求項２に記載の方法。
【請求項４】
前記リソース許可がＵＬ許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項２に記載の方法。
【請求項５】
前記ＦＤＤの第２のコンポーネントキャリアのリソースを割り振る前記リソース許可に関連付けられた前記ＴＤＤの第１のコンポーネントキャリアの前記識別されたサブフレームにおいて前記制御情報を送信または受信することをさらに備える、請求項２に記載の方法。
【請求項６】
前記ＦＤＤの第２のコンポーネントキャリアのリソースを割り振る前記リソース許可は、前記ＴＤＤの第１のコンポーネントキャリアのＤＬサブフレームにおいて受信される、請求項２に記載の方法。
【請求項７】
前記関連付けは、前記ＦＤＤの第２のコンポーネントキャリアのＤＬサブフレームのサブセットが前記ＴＤＤの第１のコンポーネントキャリアのＵＬサブフレームに関連付けられることを与える、請求項６に記載の方法。
【請求項８】
前記ＦＤＤの第２のコンポーネントキャリアのリソースを割り振る前記リソース許可は、前記ＦＤＤの第２のコンポーネントキャリアのＤＬサブフレームにおいて受信される、請求項２に記載の方法。
【請求項９】
前記関連付けは、前記ＦＤＤの第２のコンポーネントキャリアの各ＤＬサブフレームが前記ＴＤＤの第１のコンポーネントキャリアのＵＬサブフレームに関連付けられることを与える、請求項８に記載の方法。
【請求項１０】
前記リソース許可に関連付けられた前記制御情報は、アップリンク制御情報（ＵＣＩ）を含む、請求項２に記載の方法。
【請求項１１】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記ＦＤＤの第２のコンポーネントキャリアのリソースを割り振るリソース許可をダウンリンク（ＤＬ）サブフレームにおいて受信するための手段と、
前記ＴＤＤの第１のコンポーネントキャリアのアップリンクダウンリンク構成に基づいて、前記ＴＤＤの第１のコンポーネントキャリアのサブフレームと前記ＦＤＤの第２のコンポーネントキャリアのサブフレームとの間の関連付けを判断するための手段と、
前記関連付けと前記リソース許可が受信された前記ＤＬサブフレームとに基づいて、前記リソース許可に関連付けられた制御情報を送信または受信するための、前記ＴＤＤの第１のコンポーネントキャリアのサブフレームを識別するための手段と
を備える、モバイルデバイス。
【請求項１２】
前記ＴＤＤの第１のコンポーネントキャリアは１次コンポーネントキャリアであり、前記ＦＤＤの第２のコンポーネントキャリアは２次コンポーネントキャリアである、請求項１１に記載のモバイルデバイス。
【請求項１３】
前記リソース許可がＤＬ割当てを備え、前記関連付けが、前記ＴＤＤの第１のコンポーネントキャリアのアップリンク（ＵＬ）サブフレームに関連付けられた前記ＦＤＤの第２のコンポーネントキャリアのＤＬサブフレームをスケジュールすることを可能にする、請求項１２に記載のモバイルデバイス。
【請求項１４】
前記リソース許可がＵＬ許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項１２に記載のモバイルデバイス。
【請求項１５】
前記ＦＤＤの第２のコンポーネントキャリアのリソースを割り振る前記リソース許可に関連付けられた前記ＴＤＤの第１のコンポーネントキャリアの前記識別されたサブフレームにおいて前記制御情報を送信または受信するための手段をさらに備える、請求項１２に記載のモバイルデバイス。
【請求項１６】
前記ＦＤＤの第２のコンポーネントキャリアのリソースを割り振る前記リソース許可は、前記ＴＤＤの第１のコンポーネントキャリアのＤＬサブフレームにおいて受信される、請求項１２に記載のモバイルデバイス。
【請求項１７】
前記関連付けは、前記ＦＤＤの第２のコンポーネントキャリアのＤＬサブフレームのサブセットが前記ＴＤＤの第１のコンポーネントキャリアのＵＬサブフレームに関連付けられることを与える、請求項１６に記載のモバイルデバイス。
【請求項１８】
前記ＦＤＤの第２のコンポーネントキャリアのリソースを割り振る前記リソース許可は、前記ＦＤＤの第２のコンポーネントキャリアのＤＬサブフレームにおいて受信される、請求項１２に記載のモバイルデバイス。
【請求項１９】
前記関連付けは、前記ＦＤＤの第２のコンポーネントキャリアの各ＤＬサブフレームが前記ＴＤＤの第１のコンポーネントキャリアのＵＬサブフレームに関連付けられることを与える、請求項１８に記載のモバイルデバイス。
【請求項２０】
前記リソース許可に関連付けられた前記制御情報は、アップリンク制御情報（ＵＣＩ）を含む、請求項１２に記載のモバイルデバイス。
【請求項２１】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記ＦＤＤの第２のコンポーネントキャリアのリソースを割り振るリソース許可をダウンリンク（ＤＬ）サブフレームにおいて受信するように構成されたトランシーバと、
前記ＴＤＤの第１のコンポーネントキャリアのアップリンクダウンリンク構成に基づいて、前記ＴＤＤの第１のコンポーネントキャリアのサブフレームおよび前記ＦＤＤの第２のコンポーネントキャリアのサブフレームとの間の関連付けを判断することと、
前記関連付けと前記リソース許可が受信された前記ＤＬサブフレームとに基づいて、前記リソース許可に関連付けられた制御情報を送信または受信するための、前記ＴＤＤの第１のコンポーネントキャリアのサブフレームを識別することと
を行うように構成された少なくとも１つのプロセッサと
を備える、モバイルデバイス。
【請求項２２】
前記ＴＤＤの第１のコンポーネントキャリアは１次コンポーネントキャリアであり、前記ＦＤＤの第２のコンポーネントキャリアは２次コンポーネントキャリアである、請求項２１に記載のモバイルデバイス。
【請求項２３】
前記リソース許可がＤＬ割当てを備え、前記関連付けが、前記ＴＤＤの第１のコンポーネントキャリアのアップリンク（ＵＬ）サブフレームに関連付けられた前記ＦＤＤの第２のコンポーネントキャリアのＤＬサブフレームをスケジュールすることを可能にする、請求項２２に記載のモバイルデバイス。
【請求項２４】
前記リソース許可がＵＬ許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項２２に記載のモバイルデバイス。
【請求項２５】
前記トランシーバは、
前記ＦＤＤの第２のコンポーネントキャリアのリソースを割り振る前記リソース許可に関連付けられた前記ＴＤＤの第１のコンポーネントキャリアの前記識別されたサブフレームにおいて前記制御情報を送信または受信するように構成される、請求項２２に記載のモバイルデバイス。
【請求項２６】
前記ＦＤＤの第２のコンポーネントキャリアのリソースを割り振る前記リソース許可は、前記ＴＤＤの第１のコンポーネントキャリアのＤＬサブフレームにおいて受信される、請求項２２に記載のモバイルデバイス。
【請求項２７】
前記関連付けは、前記ＦＤＤの第２のコンポーネントキャリアのＤＬサブフレームのサブセットが前記ＴＤＤの第１のコンポーネントキャリアのＵＬサブフレームに関連付けられることを与える、請求項２６に記載のモバイルデバイス。
【請求項２８】
前記ＦＤＤの第２のコンポーネントキャリアのリソースを割り振る前記リソース許可は、前記ＦＤＤの第２のコンポーネントキャリアのＤＬサブフレームにおいて受信される、請求項２２に記載のモバイルデバイス。
【請求項２９】
プロセッサによって実行されると、前記プロセッサに、
周波数分割二重（ＦＤＤ）の第２のコンポーネントキャリアのリソースを割り振るリソース許可をダウンリンク（ＤＬ）サブフレームにおいて受信することと、
時分割二重（ＴＤＤ）の第１のコンポーネントキャリアのアップリンクダウンリンク構成に基づいて、前記ＴＤＤの第１のコンポーネントキャリアのサブフレームと前記ＦＤＤの第２のコンポーネントキャリアのサブフレームとの間の関連付けを判断することと、
前記関連付けと前記リソース許可が受信された前記ＤＬサブフレームとに基づいて、前記リソース許可に関連付けられた制御情報を送信または受信するための、前記ＴＤＤの第１のコンポーネントキャリアのサブフレームを識別することと
を行わせる命令を記憶した、非一時的なコンピュータ可読記憶媒体。
【請求項３０】
モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）をサポートするアクセスノードによるワイヤレス通信の方法であって、
前記ＴＤＤの第１のコンポーネントキャリアのアップリンクダウンリンク構成に基づいて、前記ＴＤＤの第１のコンポーネントキャリアのサブフレームと前記ＦＤＤの第２のコンポーネントキャリアのサブフレームとの間の関連付けを判断することと、
モバイルデバイスにＤＬサブフレームにおいて、前記ＦＤＤの第２のコンポーネントキャリアのリソースを割り振るリソース許可を送ることと、ここにおいて、前記リソース許可が、前記関連付けと前記リソース許可が送られた前記ＤＬサブフレームとに基づいて前記ＴＤＤの第１のコンポーネントキャリアのサブフレームに関して前記モバイルデバイスによる制御情報の送信または受信をスケジュールする、
を備える、方法。
【請求項３１】
前記リソース許可がＤＬ割当てを備え、前記関連付けが、前記ＴＤＤの第１のコンポーネントキャリアのアップリンクサブフレームに関連付けられた前記ＦＤＤの第２のコンポーネントキャリアのＤＬサブフレームをスケジュールすることを可能にする、請求項３０に記載の方法。
【請求項３２】
前記リソース許可がアップリンク（ＵＬ）許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項３０に記載の方法。
【請求項３３】
前記関連付けが、前記ＤＬサブフレームのサブフレーム番号に対する１つまたは複数のサブフレームオフセットを備える、請求項３０に記載の方法。
【請求項３４】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、前記アクセスノードは、
前記ＴＤＤの第１のコンポーネントキャリアのアップリンクダウンリンク構成に基づいて、前記ＴＤＤの第１のコンポーネントキャリアのサブフレームと、前記ＦＤＤの第２のコンポーネントキャリアのサブフレームとの間の関連付けを判断するための手段と、
モバイルデバイスにＤＬサブフレームにおいて、前記ＦＤＤの第２のコンポーネントキャリアのリソースを割り振るリソース許可を送るための手段と、ここにおいて、前記リソース許可が、前記関連付けと前記リソース許可が送られた前記ＤＬサブフレームとに基づいて前記ＴＤＤの第１のコンポーネントキャリアのサブフレームに関して前記モバイルデバイスによる制御情報の送信または受信をスケジュールする、
を備える、アクセスノード。
【請求項３５】
前記リソース許可がＤＬ割当てを備え、前記関連付けが、前記ＴＤＤの第１のコンポーネントキャリアのアップリンク（ＵＬ）サブフレームに関連付けられた前記ＦＤＤの第２のコンポーネントキャリアのＤＬサブフレームをスケジュールすることを可能にする、請求項３４に記載のアクセスノード。
【請求項３６】
前記リソース許可がアップリンク（ＵＬ）許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項３４に記載のアクセスノード。
【請求項３７】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、前記アクセスノードは、
前記ＴＤＤの第１のコンポーネントキャリアのアップリンクダウンリンク構成に基づいて、前記ＴＤＤの第１のコンポーネントキャリアのサブフレームと、前記ＦＤＤの第２のコンポーネントキャリアのサブフレームとの間の関連付けを判断するように構成された少なくとも１つのプロセッサと、
モバイルデバイスにＤＬサブフレームにおいて、前記ＦＤＤの第２のコンポーネントキャリアのリソースを割り振るリソース許可を送るように構成されたトランシーバと、ここにおいて、前記リソース許可が、前記関連付けと前記リソース許可が送られた前記ＤＬサブフレームとに基づいて前記ＴＤＤの第１のコンポーネントキャリアのサブフレームに関して前記モバイルデバイスによる制御情報の送信または受信をスケジュールする、
を備える、アクセスノード。
【請求項３８】
前記リソース許可がＤＬ割当てを備え、前記関連付けが、前記ＴＤＤの第１のコンポーネントキャリアのアップリンク（ＵＬ）サブフレームに関連付けられた前記ＦＤＤの第２のコンポーネントキャリアのＤＬサブフレームをスケジュールすることを可能にする、請求項３７に記載のアクセスノード。
【請求項３９】
前記リソース許可がＵＬ許可を備え、前記関連付けが、前記ＴＤＤの第１のコンポーネントキャリアのＤＬサブフレームに関連付けられた前記ＦＤＤの第２のコンポーネントキャリアのＵＬサブフレームをスケジュールすることを可能にする、請求項３７に記載のアクセスノード。
【請求項４０】
プロセッサによって実行されると、前記プロセッサに、
時分割二重（ＴＤＤ）の第１のコンポーネントキャリアのアップリンクダウンリンク構成に基づいて、前記ＴＤＤの第１のコンポーネントキャリアのサブフレームと、周波数分割二重（ＦＤＤ）の第２のコンポーネントキャリアのサブフレームとの間の関連付けを判断することと、
モバイルデバイスにＤＬサブフレームにおいて、前記ＦＤＤの第２のコンポーネントキャリアのリソースを割り振るリソース許可を送ることと、ここにおいて、前記リソース許可が、前記関連付けと前記リソース許可が送られた前記ＤＬサブフレームとに基づいて前記ＴＤＤの第１のコンポーネントキャリアのサブフレームに関して前記モバイルデバイスによる制御情報の送信または受信をスケジュールする、
を行わせる命令を記憶した、非一時的なコンピュータ可読記憶媒体。